Podtech/llm-jp-corpus-v4-ja_patent huggingface dataset:
【手続補正書】
【提出日】平成21年11月20日(2009.11.20)
【手続補正１】
【補正対象書類名】特許請求の範囲
【補正対象項目名】全文
【補正方法】変更
【補正の内容】
【特許請求の範囲】
【請求項１】
遊技領域が前面側に形成され、遊技領域から裏面へ向けて貫通する開口が形成されるとともに、この開口に対応して入賞装置が取り付けられる遊技盤を備え、遊技盤の裏面には、入賞装置に入球した遊技球を受けて下方へ誘導する排出通路が形成された球集合板を取り付けるようにした遊技機であって、
遊技盤の裏面側に、遊技を制御する制御基板を収容する基板ユニットが配設され、
遊技盤の裏面と基板ユニットとの間に、箱形状に成形されるとともに内部に複数のリブが形成されるようにした中間部材が介装され、
かつ、この中間部材と球集合板とを封止するための封止手段を備えることを特徴とする遊技機。
【請求項２】
封止手段が第１封止部を有し、該第１封止部は、
球集合板に遊技盤側から挿通されて中間部材を球集合板に固定する固定手段と、
球集合板の遊技盤側に設けられ固定手段が挿通される孔を底部に有する凹部と、
中間部材に設けられ固定手段が挿入され固定される挿入部と、
固定手段による固定状態を解除するために挿入部に設けられた切断部とを有することを特徴とする請求項１に記載の遊技機。
【請求項３】
封止手段が第２封止部を有し、該第２封止部は、
中間部材に背面側から挿通されて中間部材を球集合板に固定する破断ネジと、
中間部材に設けられ破断ネジが挿通される孔を底部に有する破断ネジ挿通部と、
球集合板に設けられ破断ネジが螺入される螺入部と、
破断ネジによる固定状態を解除するために破断ネジ挿通部に設けられた切断部とを有し、
基板ユニットの一方端部が軸により回動可能に枢着され、
破断ネジ挿通部が、基板ユニットを枢着する軸に近接していることを特徴とする請求項１または請求項２に記載の遊技機。
【請求項４】
中間部材と基板ユニットとが、たがいに左右逆方向に開閉される開閉構造を有することを特徴とする請求項１から請求項３のいずれかに記載の遊技機。
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
筒状ロールの外周面に、その軸方向と並列状に、多数本のチャンネルブラシを着脱自在に取付けたブラシロールにおいて、前記チャンネルブラシは、ブラシ片と、側面の高さが周期的に変化するように形成された帯状体と、芯線とを有するか或いは、ブラシ片と、側面の高さが周期的に変化するように形成された帯状体とを有し、前記ブラシ片を上面から視た場合に、前記ブラシ片は、蛇行している形状に形成されてあることを特徴とするブラシロール。
【請求項２】
ブラシ片を上面から視た場合に、前記ブラシ片の幅の広い部分と幅の狭い部分とが交互に形成されてあることを特徴とする請求項１に記載のブラシロール。
【請求項３】
ブラシ片を上面から視た場合に、一方の側面側が直線で、他方の側面側が前記ブラシ片の幅の広い部分と幅の狭い部分とが交互に形成されてあるようにしたことを特徴とする請求項１に記載のブラシロール。
【請求項４】
筒状ロールの外周面に、その軸方向と並列状に、多数本のチャンネルブラシを着脱自在に取付けたブラシロールにおいて、前記チャンネルブラシは、ブラシ片と、側面の高さが周期的に変化するように形成された帯状体と、芯線とを有するか或いは、ブラシ片と、側面の高さが周期的に変化するように形成された帯状体とを有し、前記ブラシ片を上面から視た場合に、請求項１〜３のいずれか１項に記載のチャンネルブラシを前記チャンネルブラシの側面側の形状に沿うよう互いに嵌め込んだことを特徴とするブラシロール。
【請求項５】
チャンネルブラシは、並列させた複数のチャンネルブラシの帯状体同士を取付部材を介して一体的に複数連結させることにより、複数ブラシユニットとして用いることを特徴とする請求項１〜４のいずれか１項に記載のブラシロール。
【手続補正２】
【補正対象書類名】明細書
【補正対象項目名】０００６
【補正方法】変更
【補正の内容】
【０００６】
請求項１の発明では、筒状ロールの外周面に、その軸方向と並列状に、多数本のチャンネルブラシを着脱自在に取付けたブラシロールにおいて、前記チャンネルブラシは、ブラシ片と、側面の高さが周期的に変化するように形成された帯状体と、芯線とを有するか或いは、ブラシ片と、側面の高さが周期的に変化するように形成された帯状体とを有し、前記ブラシ片を上面から視た場合に、前記ブラシ片は、蛇行している形状に形成されてあることに特徴を有する。したがって、ブラシ片の蛇行した形状に沿って隣り合うブラシ片を配置することができるので、隣り合うチャンネルブラシ間の隙間が小さくなり、ブラシロールを使用した場合のがたつきの発生を少なくすることができる。また、帯状体の側面の高さを周期的に変化するように形成する事により、ブラシ片をブラシロールの回転中心にたいして、回転方向側及び回転方向と逆方向側に所定の角度を有して概扇状に形成されてある。その為、ブラシロールの回転時においては、被洗浄面にたいして回転方向側に所定の角度を有するブラシ片が、例えば、スコップで土砂をこそぎ取るが如く、当接して、被洗浄面上の異物、汚れ等を掻き出して除去すると共に、被洗浄面にたいして回転方向と逆方向側に所定の角度を有するブラシ片が、例えば布地で汚れを拭き取るが如く当接して、被洗浄面上の細かい塵挨等も除去して研磨することができる。
【手続補正３】
【補正対象書類名】明細書
【補正対象項目名】０００７
【補正方法】変更
【補正の内容】
【０００７】
請求項２の発明では、請求項１に記載のブラシロールにおいて、ブラシ片を上面から視た場合に、前記ブラシ片の幅の広い部分と幅の狭い部分とが交互に形成されてあることに特徴を有する。したがって、ブラシ片の幅の狭い部分に隣り合うブラシ片の幅の広い部分を密着させることができるので、隣り合うチャンネルブラシ間の隙間が小さくなり、ブラシロールを使用した場合のがたつきの発生を少なくすることができる。
【手続補正４】
【補正対象書類名】明細書
【補正対象項目名】０００８
【補正方法】変更
【補正の内容】
【０００８】
請求項３の発明では、請求項１に記載のブラシロールにおいて、ブラシ片を上面から視た場合に、一方の側面側が直線で、他方の側面側が前記ブラシ片の幅の広い部分と幅の狭い部分とが交互に形成されてあるようにしたことに特徴を有する。したがって、隣り合うブラシ片同士を、側面が直線同士と、幅の広い部分と幅の狭い部分とが交互に形成された側同士とが向き合うように配置することができるので、隣り合うチャンネルブラシ間の隙間が小さくなり、ブラシロールを使用した場合のがたつきの発生を少なくすることができる。
【手続補正５】
【補正対象書類名】明細書
【補正対象項目名】０００９
【補正方法】変更
【補正の内容】
【０００９】
請求項４の発明では、筒状ロールの外周面に、その軸方向と並列状に、多数本のチャンネルブラシを着脱自在に取付けたブラシロールにおいて、前記チャンネルブラシは、ブラシ片と、側面の高さが周期的に変化するように形成された帯状体と、芯線とを有するか或いは、ブラシ片と、側面の高さが周期的に変化するように形成された帯状体とを有し、前記ブラシ片を上面から視た場合に、請求項１〜３のいずれか１項に記載のチャンネルブラシを前記チャンネルブラシの側面側の形状に沿うよう互いに嵌め込んだことに特徴を有する。したがって、チャンネルブラシを互いに嵌め込むことによって、隣り合うチャンネルブラシ間の隙間が小さくなり、ブラシロールを使用した場合のがたつきの発生を少なくすることができる。
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
被検体内に導入されて被検体内情報を取得し、該取得した被検体内情報を前記被検体を介して外部へ送信するカプセル型内視鏡において、
前記カプセル型内視鏡の外周面上に配置される複数の電極と、
前記複数の電極の中から送信電力損失の少ない２つの電極を、前記被検体内情報を送信するための送信用電極として選択する電極選択手段と、
前記電極選択手段により選択された２つの送信用電極を用いて、前記被検体内情報を前記被検体の外部へ送信する送信手段と、
を具備することを特徴とするカプセル型内視鏡。
【請求項２】
前記電極選択手段は、前記複数の電極の中の２つの電極間のインピーダンスを測定するインピーダンス測定手段を有し、前記インピーダンスに応じて、前記送信用電極を選択することを特徴とする請求項１に記載のカプセル型内視鏡。
【請求項３】
前記電極選択手段は、前記インピーダンスが所定の範囲内にあることを判定する判定手段をさらに有し、
前記判定手段によって前記インピーダンスが所定の範囲内にあると判定された場合に前記２つの電極を送信用電極として選択することを特徴とする請求項２に記載のカプセル型内視鏡。
【請求項４】
前記電極選択手段は、前記複数の各電極間の特性インピーダンスを可変とするインピーダンス可変素子と、前記インピーダンス可変素子の特性を調節して前記送信用電極と被検体との間でのインピーダンス整合を行うインピーダンス整合手段とをさらに有することを特徴とする請求項３に記載のカプセル型内視鏡。
【請求項５】
前記電極選択手段は、前記複数の電極の中から選択された２つの電極以外の未選択電極の電位を所定の低電位に引き下げる又は所定の高電位に引き上げることをさらに行うことを特徴とする請求項１乃至４の何れか１項に記載のカプセル型内視鏡。
【請求項６】
被検体内に導入されて被検体内情報を取得し、該取得した被検体内情報を前記被検体を介して外部へ送信するカプセル型内視鏡において、
前記カプセル型内視鏡の外周面上に配置される２つの電極と、
前記電極間のインピーダンスを測定するインピーダンス測定手段と、
前記２つの電極間の特性インピーダンスを可変とするインピーダンス可変素子を有し、該インピーダンス可変素子によって前記２つの電極と被検体との間でのインピーダンス整合を行うインピーダンス整合手段と、
を具備することを特徴とするカプセル型内視鏡。
【手続補正２】
【補正対象書類名】明細書
【補正対象項目名】０００８
【補正方法】変更
【補正の内容】
【０００８】
上記の目的を達成するために、本発明の第１の態様のカプセル型内視鏡は、被検体内に導入されて被検体内情報を取得し、該取得した被検体内情報を前記被検体を介して外部へ送信するカプセル型内視鏡において、前記カプセル型内視鏡の外周面上に配置される複数の電極と、前記複数の電極の中から送信電力損失の少ない２つの電極を、前記被検体内情報を送信するための送信用電極として選択する電極選択手段と、前記電極選択手段により選択された２つの送信用電極を用いて、前記被検体内情報を前記被検体の外部へ送信する送信手段とを具備することを特徴とする。
上記の目的を達成するために、本発明の第２の態様のカプセル型内視鏡は、被検体内に導入されて被検体内情報を取得し、該取得した被検体内情報を前記被検体を介して外部へ送信するカプセル型内視鏡において、前記カプセル型内視鏡の外周面上に配置される２つの電極と、前記電極間のインピーダンスを測定するインピーダンス測定手段と、前記２つの電極間の特性インピーダンスを可変とするインピーダンス可変素子を有し、該インピーダンス可変素子によって前記２つの電極と被検体との間でのインピーダンス整合を行うインピーダンス整合手段とを具備することを特徴とする。
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
半導体基板と、
ＭＥＭＳ構造体と、
が備えられたＭＥＭＳデバイスであって、
前記ＭＥＭＳ構造体は、
前記半導体基板上に絶縁層を介して形成された固定電極である入力側電極と、
前記半導体基板上に絶縁層を介して形成された固定電極である出力側電極と、
可動電極と、
を有しており、
前記入力側電極の下方の前記半導体基板にｎ型ウェルが形成されており、
前記入力側電極に負の電圧が印加される構成であることを特徴とするＭＥＭＳデバイス。
【請求項２】
半導体基板と、
ＭＥＭＳ構造体と、
が備えられたＭＥＭＳデバイスであって、
前記ＭＥＭＳ構造体は、
前記半導体基板上に絶縁層を介して形成された固定電極である入力側電極と、
前記半導体基板上に絶縁層を介して形成された固定電極である出力側電極と、
可動電極と、
を有しており、
前記入力側電極の下方の前記半導体基板にｐ型ウェルが形成されており、
前記入力側電極に正の電圧が印加される構成であることを特徴とするＭＥＭＳデバイス。
【請求項３】
請求項１または２に記載のＭＥＭＳデバイスにおいて、
前記入力側電極と前記出力側電極との下方にウェルが形成されていることを特徴とするＭＥＭＳデバイス。
【請求項４】
請求項１乃至３のいずれか１項に記載のＭＥＭＳデバイスにおいて、
前記ウェルが空乏状態となるように前記ウェルに電圧が印加されていることを特徴とするＭＥＭＳデバイス。
【請求項５】
請求項１に記載のＭＥＭＳデバイスにおいて、
前記半導体基板がｐ型基板であって、
前記ＭＥＭＳ構造体のバイアス電圧をＶｐ、前記ウェルに印加する電圧をＶwell、前記ウェルに反転層が生ずるしきい値電圧をＶth、としたとき、
Ｖｐ＜０、Ｖwell≧０、かつ、０＜｜Ｖｐ−Ｖwell｜＜｜Ｖth｜、を満足することを特
徴とするＭＥＭＳデバイス。
【請求項６】
請求項２に記載のＭＥＭＳデバイスにおいて、
前記半導体基板がｎ型基板であって、
前記ＭＥＭＳ構造体のバイアス電圧をＶｐ、前記ウェルに印加する電圧をＶwell、前記ウェルに反転層が生ずるしきい値電圧をＶth、としたとき、
Ｖｐ＞０、Ｖwell≦０、かつ、０＜｜Ｖｐ−Ｖwell｜＜｜Ｖth｜、を満足することを特
徴とするＭＥＭＳデバイス。
【請求項７】
請求項１乃至６のいずれか１項に記載のＭＥＭＳデバイスにおいて、
前記入力側電極と前記可動電極とが接続されていることを特徴とするＭＥＭＳデバイス。
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
自動車あるいは車両の外面の被洗浄面に付着した汚れ等を洗浄する為の洗車機用洗浄ブラシのブラシ片において、前記ブラシ片は、スリットにより形成された分割片を有し、前記スリットの形成領域内の少なくとも一片の前記分割片の表面の幅方向の一端から他端に亘って加圧痕が形成されてあると共に、前記加圧痕を有する前記分割片が立体的に形成されてあることを特徴とする洗車機用洗浄ブラシのブラシ片。
【請求項２】
請求項１記載の構成よりなる洗車機用洗浄ブラシのブラシ片において、前記分割片は捩じられて形成されてあることを特徴とする洗車機用洗浄ブラシのブラシ片。
【請求項３】
請求項１又は２記載の構成よりなる洗車機用洗浄ブラシのブラシ片において、加圧痕は複数の分割片を横断して形成されてあることを特徴とする洗車機用洗浄ブラシのブラシ片。
【請求項４】
請求項１から３のいずれか１項に記載の構成よりなる洗車機用洗浄ブラシのブラシ片において、前記加圧痕は熱加圧にて形成されてあることを特徴とする洗車機用洗浄ブラシのブラシ片。
【請求項５】
軸体及び請求項１から４のいずれか１項に記載の洗車機用洗浄ブラシのブラシ片を有し、前記軸体の外周部に前記ブラシ片が形成されてあることを特徴とする洗車機用洗浄ブラシ。
【請求項６】
駆動源と、被洗浄面に散布する洗浄剤及び洗浄水を噴出させるノズルと、洗浄後の被洗浄面を乾燥させる乾燥手段を備えると共に、請求項５記載の洗車機用洗浄ブラシを搭載した洗車機。
【手続補正２】
【補正対象書類名】明細書
【補正対象項目名】００１０
【補正方法】変更
【補正の内容】
【００１０】
前記従来の課題を解決する為に、本発明の洗車機用洗浄ブラシのブラシ片は、自動車あるいは車両の外面の被洗浄面に付着した汚れ等を洗浄する為の洗車機に使用する洗車機用洗浄ブラシのブラシ片において、前記ブラシ片は、スリットにより形成された分割片を有し、前記スリットの形成領域内の少なくとも一片の前記分割片の表面の幅方向の一端から他端に亘って加圧痕が形成されてあると共に、前記加圧痕を有する前記分割片が立体的に形成されてあるもので、加圧痕が形成された分割片は、加圧痕を境にして所定角度だけ三次元的に屈曲変形されてある為、隣接する分割片が長期間に亘り、洗浄水等により張り付くことが無い。その為、分割片が一体化すること無く、被洗浄面に当接するので、洗い残しの発生が防止されると共に、立体的に形成された分割片が被洗浄面に付着している汚れを掻き取り、ブラシ片は高い洗浄性能を有する。
【手続補正３】
【補正対象書類名】明細書
【補正対象項目名】００２２
【補正方法】変更
【補正の内容】
【００２２】
第１の発明は、自動車あるいは車両の外面の被洗浄面に付着した汚れ等を洗浄する為の洗車機に使用する洗車機用洗浄ブラシのブラシ片において、前記ブラシ片は、スリットにより形成された分割片を有し、前記スリットの形成領域内の少なくとも一片の前記分割片の表面の幅方向の一端から他端に亘って加圧痕が形成されてあると共に、前記加圧痕を有する前記分割片が立体的に形成されてあるもので、加圧痕が形成された分割片は、加圧痕を境にして所定角度だけ三次元的に屈曲変形されてある為、隣接する分割片が長期間に亘り、洗浄水等により張り付くことが無い。その為、分割片が一体化すること無く、被洗浄面に当接するので、洗い残しの発生が防止されると共に、立体的に形成された分割片が被洗浄面に付着している汚れを掻き取り、ブラシ片は高い洗浄性能を有する。
【手続補正４】
【補正対象書類名】明細書
【補正対象項目名】００２６
【補正方法】変更
【補正の内容】
【００２６】
第３の発明は、特に、第１又は第２の発明の洗車機用洗浄ブラシのブラシ片において、加圧痕は複数の分割片を横断して形成されてあるもので、加圧痕による屈曲、折れ等の変形による立体的な形成を確実にすることができる。従って、立体的に確実に形成された複数の分割片が被洗浄面に当接する為、被洗浄面の曲線部分にも容易に分割片が当接することが可能であり、洗浄性能が大幅に向上する。
【手続補正５】
【補正対象書類名】明細書
【補正対象項目名】００２７
【補正方法】変更
【補正の内容】
【００２７】
第４の発明は、特に、第１から第３のいずれかに記載の発明の洗車機用洗浄ブラシのブラシ片において、前記加圧痕は熱加圧にて形成されてあるもので、熱加圧された分割片が強固に立体形状を形成する。その為、ブラシ片の毛腰を強く設定して被洗浄面に当接させることができるので、洗浄性能が飛躍的に向上する。
【手続補正書】
【提出日】平成22年10月20日(2010.10.20)
【手続補正１】
【補正対象書類名】明細書
【補正対象項目名】０００４
【補正方法】変更
【補正の内容】
【０００４】
公知のノイズ低減システムには、自動車用に使用されることが多いバッフル消音器、ハーシェル−クインケチューブ（クインケ管）、及びノイズ周波数を検出しかつ反対位相を有するそのようなノイズ周波数を発生する能動型ノイズ除去ヘッドフォンが含まれる。圧電材料が公知であり、この圧電材料では、その材料に加えられた電気により該材料の寸法変化が生じる。
【特許文献１】米国特許出願公開第２００８／００９８７４７号公報
【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
板状のバックパネルと、前記バックパネルの表面に取り付けられ商品保持部とを備える商品陳列用什器であって、
前記バックパネルには、商品保持部を保持するための貫通孔が設けられており、
前記商品保持部は、
上方が開口し、背面部で前記バックパネルの前記表面に接触する有底箱形形状に構成され、
前記背面部の上縁に連結され、前記貫通孔に挿通してバックパネルと前記商品保持部とを固定する固定部材と、
前記固定部材の端縁から突出するように前記固定部材と一体的に構成され、前記固定部材が貫通孔に挿通されることによって、前記背面部上縁から前記背面部に対して立設されるように設けられた弾性変形可能な押出板とを備えることを特徴とする、商品陳列用什器。
【請求項２】
前記押出板の先端は、前記商品保持部の背面部との間でなす角度が、前記押出板の中間部分と前記背面部との間の角度よりも小さくなるように、折れ曲がって構成されていることを特徴とする請求項１に記載の商品陳列用什器。
【請求項３】
前記固定部材は、前記商品保持部の背面部上縁に屈曲可能に一体的に接続され、
前記押出板は、前記固定部材が設けられている前記背面部上縁に連続して、前記背面部の一部が切り抜かれることにより設けられていることを特徴とする、請求項１又は２に記載の商品陳列用什器。
【請求項４】
前記固定部材は、前記バックパネルの貫通孔に挿通するために、前記背面部に対して折り曲げる折り目によって背面部上縁と屈曲可能に構成され、前記折り目で前記固定部材を折り曲げることにより前記押出板が立ち上がるように構成されていることを特徴とする、請求項３に記載の商品陳列用什器。
【請求項５】
前記固定部材は、さらに前記貫通孔を挿通した部分を前記バックパネルの背面に沿うように、前記バックパネルの背面との交差位置に第２の折り目が設けられていることを特徴とする請求項４に記載の商品陳列用什器。
【請求項６】
前記固定部材は、前記商品保持部と別部材として構成され、前記商品保持部の背面部に固定されるのりしろ部と、一体的に構成された前記押出板を備え、前記のりしろ部は、前記押出板に対して折り曲げられて構成されていることを特徴とする、請求項１又は２に記載の商品陳列用什器。
【請求項７】
前記商品保持部は、前面部と一体的に構成された底面部を備え、前記底板は、前記バックパネルに挿通して前記商品保持部をバックパネルに固定する下部固定部を備えることを特徴とする、請求項１から６のいずれか１つに記載の商品陳列用什器。
【手続補正２】
【補正対象書類名】明細書
【補正対象項目名】００１０
【補正方法】変更
【補正の内容】
【００１０】
本発明の第１態様によれば、板状のバックパネルと、前記バックパネルの表面に取り付けられ商品保持部とを備える商品陳列用什器であって、
前記バックパネルには、商品保持部を保持するための貫通孔が設けられており、
前記商品保持部は、
上方が開口し、背面部で前記バックパネルの前記表面に接触する有底箱形形状に構成され、
前記背面部の上縁に連結され、前記貫通孔に挿通してバックパネルと前記商品保持部とを固定する固定部材と、
前記固定部材の端縁から突出するように前記固定部材と一体的に構成され、前記固定部材が貫通孔に挿通されることによって、前記背面部上縁から前記背面部に対して立設されるように設けられた弾性変形可能な押出板とを備えることを特徴とする、商品陳列用什器を提供する。
【手続補正３】
【補正対象書類名】明細書
【補正対象項目名】００１２
【補正方法】変更
【補正の内容】
【００１２】
本発明の第３態様によれば、前記固定部材は、前記商品保持部の背面部上縁に屈曲可能に一体的に接続され、
前記押出板は、前記固定部材が設けられている前記背面部上縁に連続して、前記背面部の一部が切り抜かれることにより設けられていることを特徴とする、第１又は第２態様の商品陳列用什器を提供する。
【手続補正４】
【補正対象書類名】明細書
【補正対象項目名】００１３
【補正方法】変更
【補正の内容】
【００１３】
本発明の第４態様によれば、前記固定部材は、前記バックパネルの貫通孔に挿通するために、前記背面部に対して折り曲げる折り目によって背面部上縁と屈曲可能に構成され、前記折り目で前記固定部材を折り曲げることにより前記押出板が立ち上がるように構成されていることを特徴とする、第３態様の商品陳列用什器を提供する。
【手続補正５】
【補正対象書類名】明細書
【補正対象項目名】００１４
【補正方法】変更
【補正の内容】
【００１４】
本発明の第５態様によれば、前記固定部材は、さらに前記貫通孔を挿通した部分を前記バックパネルの背面に沿うように、前記バックパネルの背面との交差位置に第２の折り目が設けられていることを特徴とする第４態様の商品陳列用什器を提供する。
【手続補正６】
【補正対象書類名】明細書
【補正対象項目名】００２６
【補正方法】変更
【補正の内容】
【００２６】
商品陳列用什器１は、図１に示すように、バックパネル２の表面２０Ａに３つの商品保持部３が固定された構造を有する。バックパネル２は、陳列する商品に関連する装飾がなされた、例えば発泡スチロールや厚紙などの材料で構成された板状の本体２０を備える。本体２０は、その裏面２０Ｂ（図７参照）に、本体２０を立てた状態に保持するための折り畳み可能な脚部２４が取り付けられている。また、壁掛け用の紐４を通すための、通し孔２６が本体２０の上方に設けられている。
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
遊技盤に区画形成された遊技領域に遊技者に視認可能に配置された液晶表示器と、
遊技者の操作によって前記遊技領域に向かって遊技球を打ち出す打球発射装置と、
前記遊技領域に設けられ、かつ、前記打球発射装置によって打ち出された遊技球が入球可能な始動入賞口と、
該始動入賞口に遊技球が入球したことに基づいて遊技の進行を制御する主制御部が設けられた上位制御装置と、
該上位制御装置からのコマンドに基づいて、演出の進行を制御する演出制御部及び前記液晶表示器の表示領域に各種演出を描画再生する液晶制御部が設けられた下位制御装置と、
を備えるパチンコ遊技機であって、
前記上位制御装置の主制御部は、少なくとも、
前記始動入賞口に遊技球が入球したことに基づいて遊技者に利益を付与するか否かを判定する当落判定制御手段と、
該当落判定制御手段による当落判定結果を前記コマンドとして前記下位制御装置に送信するコマンド送信制御手段と、
を備え、
前記下位制御装置の演出制御部は、少なくとも、
前記上位制御装置からの前記コマンドを受信する第１のコマンド受信制御手段と、
該第１のコマンド受信制御手段が受信した前記コマンドを解析する第１のコマンド解析制御手段と、
該第１のコマンド解析制御手段が解析した前記コマンドに基づいて前記液晶表示器の表示領域に描画再生する演出を決定する演出決定制御手段と、
該演出決定制御手段が決定した演出の途中にその演出を補助するために前記液晶表示器の表示領域に出現させる補助画像を決定する補助画像決定制御手段と、
を備え、
前記下位制御装置の液晶制御部は、少なくとも、
前記上位制御装置からの前記コマンドを受信する第２のコマンド受信制御手段と、
該第２のコマンド受信制御手段が受信した前記コマンドを解析する第２のコマンド解析制御手段と、
該第２のコマンド解析制御手段が解析した前記コマンドと前記補助画像決定手段が決定した補助画像との対応関係が成立しているか否かを判定する対応関係判定制御手段と、
補助に用いられる補助画像を他の補助画像にすり替える補助画像すり替え制御手段と、
を備え、
前記補助画像すり替え制御手段は、前記対応関係判定制御手段が前記第２のコマンド解析制御手段が解析した前記コマンドと前記補助画像決定手段が決定した補助画像との対応関係が成立していると判定したときにはその補助画像を維持する一方、前記対応関係判定制御手段が前記第２のコマンド解析制御手段が解析した前記コマンドと前記補助画像決定手段が決定した補助画像との対応関係が成立していないと判定したときにはその補助画像を当該コマンドと対応する補助画像にすり替えることを特徴とするパチンコ遊技機。
【請求項２】
前記対応関係判定制御手段が前記第２のコマンド解析制御手段が解析した前記コマンドと前記補助画像決定手段が決定した補助画像との対応関係が成立していないと判定した際に、その補助画像が前記補助画像すり替え制御手段によってすり替えられる当該コマンドと対応する補助画像は、前記液晶表示器の表示領域に描画再生する演出が終了した後、続いて開始される、遊技者に利益を付与する特別遊技状態が確定している旨を伝える補助画像と異なる補助画像であることを特徴とする請求項１に記載のパチンコ遊技機。
【手続補正２】
【補正対象書類名】明細書
【補正対象項目名】００１６
【補正方法】変更
【補正の内容】
【００１６】
本発明の請求項１においては、上位制御装置が意図する内容の演出を液晶表示器の表示領域に描画再生することができる。請求項２においては、遊技者の戸惑いによる遊技意欲の低下を招くおそれがない。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
被写体に放射線を曝射し、放射線画像の撮影を行う放射線画像撮影装置において、
被写体の放射線画像情報を検出する放射線検出器と、
前記放射線検出器から前記放射線画像情報を読み出す読出回路と、
前記読出回路を構成する回路素子のうち、発熱源となる回路素子を制御する制御部と、を備え、
前記制御部は、当該放射線画像撮影装置による前記放射線の曝射条件の設定完了信号が供給されることを条件として、前記発熱源となる回路素子を駆動状態に制御することを特徴とする放射線画像撮影装置。
【請求項２】
請求項１記載の装置において、
前記制御部は、前記回路素子に駆動電力を供給する電源部を制御する電源制御部であることを特徴とする放射線画像撮影装置。
【請求項３】
請求項２記載の装置において、
前記電源制御部は、前記放射線画像撮影装置による前記放射線の曝射条件入力完了信号の供給と同時に前記電源部をＯＮ状態にすることを特徴とする放射線画像撮影装置。
【請求項４】
請求項１記載の装置において、
当該放射線画像撮影装置は、マンモグラフィ装置であり、前記制御部は、圧迫板によるマンモの圧迫開始を条件として、前記回路素子を駆動状態に制御することを特徴とする放射線画像撮影装置。
【請求項５】
請求項１記載の装置において、
前記制御部は、前記読出回路による前記放射線画像情報の読み出し完了を条件として、前記回路素子を非駆動状態に制御することを特徴とする放射線画像撮影装置。
【請求項６】
請求項１〜５のいずれか１項に記載の装置において、
前記発熱源となる回路素子は、前記放射線検出器により検出した電荷を積分する積分アンプであることを特徴とする放射線画像撮影装置。
【請求項７】
請求項１〜５のいずれか１項に記載の装置において、
前記発熱源となる回路素子は、アナログ信号からなる放射線画像情報をデジタル信号に変換するＡ／Ｄ変換器であることを特徴とする放射線画像撮影装置。
【請求項８】
請求項１乃至７のいずれかに記載の装置において、
前記放射線画像撮影装置は、前記放射線画像情報の撮影に必要な曝射条件を設定する曝射条件設定部を備え、前記曝射条件設定部は被写体のＩＤ情報、被写体の撮影部位、前記撮影部位に応じた放射線の照射線量、被写体の撮影方向のいずれかを設定することを特徴とする放射線画像撮影装置。
【請求項９】
請求項１乃至８のいずれかに記載の装置において、
放射線検出器は光電変換層を行列状の薄膜トランジスタのアレイ上に配置した構造を有し、前記放射線検出器に冷却パネルを積層したことを特徴とする放射線画像撮影装置。
【請求項１０】
請求項９記載の装置において、
前記冷却パネルは温度制御部に接続され、前記温度制御部は温度センサの検出信号により前記放射線検出器の温度を許容範囲内となるように温度調整することを特徴とする放射線画像撮影装置。
【請求項１１】
請求項２記載の装置において、
前記放射線画像を読み出す読出回路は放射線画像情報の読み出しの完了によって電源制御部を介して電源部への駆動電力の供給を停止することを特徴とする放射線画像撮影装置。
【手続補正２】
【補正対象書類名】明細書
【補正対象項目名】０００９
【補正方法】変更
【補正の内容】
【０００９】
本発明に係る放射線画像撮影装置は、被写体に放射線を曝射し、放射線画像の撮影を行う放射線画像撮影装置において、
被写体の放射線画像情報を検出する放射線検出器と、
前記放射線検出器から前記放射線画像情報を読み出す読出回路と、
前記読出回路を構成する回路素子のうち、発熱源となる回路素子を制御する制御部と、を備え、
前記制御部は、当該放射線画像撮影装置による前記放射線の曝射条件の設定完了信号が供給されることを条件として、前記発熱源となる回路素子を駆動状態に制御することを特徴とする。
【手続補正３】
【補正対象書類名】明細書
【補正対象項目名】００１０
【補正方法】変更
【補正の内容】
【００１０】
本発明によれば、放射線検出器から放射線画像情報を読み出す読出回路を構成する回路素子の不必要な駆動状態を制限することにより、前記回路素子からの発熱を抑制することができる。これにより、放射線検出器を冷却する冷却機構に対する負担を軽減し、冷却機構を簡易に構成することができるとともに、冷却に要するエネルギを必要最小限として省エネに大きく貢献することができる。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
遊技領域に遊技球を打込んで行われる遊技により所定の払出条件が成立すると遊技球を払出す遊技機であって、  前記遊技領域に設けられ、遊技球が入球可能な抽選入球口と、  該抽選入球口への遊技球の入球に基づき抽選を行なう抽選手段と、  該抽選手段の抽選結果が当選になると、遊技者にとって通常よりも多くの遊技球が獲得可能な特別状態を発生させる特別状態発生手段と、  該特別状態発生手段において、作動され遊技球が受入容易となる特別入賞口と、  コンピュータを用いて構成され、前記抽選入球口への遊技球の入球の有無を監視して、前記抽選入球口に遊技球が入球したタイミングに基づく処理によって抽選を行なうべく前記抽選手段を制御すると共に、該抽選手段の抽選結果に応じて前記特別状態発生手段を制御する主基板と、  該主基板によって制御され、前記抽選手段によって抽選が行なわれる毎に図柄の表示によって抽選結果を表示する特別図柄表示装置と、  コンピュータを用いて構成され、前記主基板からの信号に基づく処理を行なう周辺基板と、  該周辺基板によって制御され、前記抽選手段によって抽選が行なわれる毎に図柄の表示によって抽選結果を表示する特別図柄対応演出表示装置と、  前記特別状態において作動し当該特別状態の態様を遊技者に示唆する特殊表示装置と、を備え、  前記特別図柄対応演出装置は、  前記抽選入球口の下方に配設されると共に前記周辺基板によって制御され、前記抽選手段によって抽選が行なわれる毎に抽選演出を行う演出動作部と、  前記動作演出手段の下方に配設され、複数の表示部から構成されており前記抽選手段によって抽選が行なわれる毎に抽選結果を示唆する第一表示部と、  該第一表示部の下方に配設された第二表示部と、を有し、  前記特殊表示装置は、  前記特別図柄対応演出装置の側方位置に配設されると共に前記周辺基板によって制御され、前記特別状態発生手段によって特別状態が発生されると特別状態における前記特別入賞口の作動態様を遊技者に示唆する特殊表示部を有し、  前記周辺基板は、  前記抽選手段によって抽選が行なわれる毎に前記特別図柄対応演出装置に対して出力制御を行い、前記演出動作部を動作させて抽選演出を行なう動作演出手段と、  前記演出動作部が抽選演出の動作を開始した後に前記第一表示部もしくは前記第二表示部の変動を開始して表示内容を更新し、更新した表示内容によって前記抽選結果を表示する抽選結果表示手段と、  前記特別状態発生手段によって特別状態が行なわれると前記特殊表示装置に対して出力制御を行い、前記特殊表示部を動作させて示唆表示を行う特殊示唆表示手段と、を有し、  前記抽選結果表示手段は、  前記抽選手段によって抽選が行われる毎に、前記演出動作部が抽選演出の動作を開始した後に、前記第一表示部の表示変動を開始して表示内容を更新し、抽選結果が落選であることを示す一次落選情報、または、前記複数の表示部のうち少なくとも一つの表示部が当選結果を表示した一次通過情報、の何れかを前記第一表示部に対して出力制御を行なうと共に、前記第一表示部にて前記一次落選情報の表示が行なわれると前記第二表示部の表示内容の更新を行わない一方で、前記一次通過情報の表示が行なわれると第二表示部の表示内容を更新して、抽選結果が落選であることを示す最終落選情報、または、抽選結果が当選であることを示す最終当選情報、のいずれかを前記第二表示部に対して出力制御を行い、  前記特殊示唆表示手段は、  前記第二表示部において最終当選情報が表示された後、前記特別状態発生手段にて特別状態が発生されると前記特殊表示部に対して出力制御を行い、
所定の条件を満たした場合、第一表示部が一次通過情報を表示したのにも拘わらず、前記第二表示部の演出への移行を停止して前記特殊表示部にて変動演出を行った後、前記第二表示部にて最終当選情報または最終落選情報を表示する特殊演出を行う特殊演出制御手段を含むことを特徴とする遊技機。
【請求項２】
前記特殊表示装置は、前記特別入賞口の近傍に配置されることを特徴とする請求項１記載の遊技機。
【請求項３】
前記遊技領域内に配置されて当該遊技領域を光装飾する装飾発光手段を備え、前記周辺基板は、前記装飾発光手段に対して出力制御を行って当該装飾発光手段を発光させる光装飾手段を有し、前記光装飾手段は、前記特殊演出制御手段によって特殊演出が行われているときは前記装飾発光手段の光量を落とすことを特徴とする請求項１又は請求項２記載の遊技機。
【手続補正２】
【補正対象書類名】明細書
【補正対象項目名】０００５
【補正方法】変更
【補正の内容】
【０００５】
（解決手段２）
解決手段１において、前記特殊表示装置は、前記特別入賞口の近傍に配置されることを特徴とする請求項１記載の遊技機。
この場合、特殊表示装置によって、特別状態における特別入賞口の作動態様を示唆することによって遊技者に演出装置から離れた特別入賞口が作動していてもその状態を把握することができる。
【手続補正３】
【補正対象書類名】明細書
【補正対象項目名】０００６
【補正方法】変更
【補正の内容】
【０００６】
（解決手段３）
解決手段１又は解決手段２において、前記遊技領域内に配置されて当該遊技領域を光装飾する装飾発光手段を備え、前記周辺基板は、前記装飾発光手段に対して出力制御を行って当該装飾発光手段を発光させる光装飾手段を有し、前記光装飾手段は、前記特殊演出制御手段によって特殊演出が行われているときは前記装飾発光手段の光量を落とすことを特徴とする請求項１又は請求項２記載の遊技機。
この場合、第二表示部での演出に換えて特殊表示装置で演出が行われていることを際立たせることができるので、より一層、遊技者に特殊演出が行われていることを強く認識させることができる。
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
遊技機前方から視認可能な位置に設けられている遊技盤と、
前記遊技盤の前面側に設けられ、遊技球が流れ落ちる遊技領域と
を備え、
前記遊技盤が、板状をなすベース部材、及びそのベース部材の前面に取り付けられて絵柄が印刷されてなるシート材を含んで構成されている遊技機であって、
前記ベース部材に形成され、遊技機の前後方向に開口する開口部と、
前記開口部を介して前記シート材の背面に光を照射する発光手段と、
前記発光手段からの光を規制する規制部が設けられた光規制部材と
を備え、
前記光規制部材は、前記シート材の背面に接する状態で配置され、
前記シート材における前記開口部の前方に位置する部位の少なくとも一部は、光透過性を有し、
前記光規制部材によって規制された光が、前記シート材を介して遊技機前方に射出されることを特徴とする遊技機。
【請求項２】
遊技機前方から視認可能な位置に設けられている遊技盤と、
前記遊技盤の前面側に設けられ、遊技球が流れ落ちる遊技領域と
を備え、
前記遊技盤が、板状をなすベース部材、及びそのベース部材の前面に取り付けられて絵柄が印刷されてなるシート材を含んで構成された遊技機であって、
前記ベース部材に形成され、遊技機の前後方向に開口する開口部と、
前記開口部を介して前記シート材の背面に光を照射する発光手段と、
不透明な材料で形成されているとともに、前記発光手段からの光を規制する規制部が設けられている光規制部材と
を備え、
前記光規制部材は、当該光規制部の前端部が前記シート材の背面に接する状態で配置され、
前記光規制部材は、前記遊技盤の背面への接触部を有し、
前記遊技盤における前記接触部との接触部位から前記シート材の背面までの、前記遊技盤の前面と直交する方向における距離寸法と、前記規制部の前端部から前記接触部までの、前記遊技盤の前面と直交する方向における距離寸法とをほぼ同一とし、
前記シート材における前記開口部の前方に位置する部位の少なくとも一部は、光透過性を有し、
前記発光手段から発せられた光が、前記シート材を介して遊技機前方に射出されることを特徴とする遊技機。
【請求項３】
遊技機前方から視認可能な位置に設けられている遊技盤と、
前記遊技盤の前面側に設けられ、遊技球が流れ落ちる遊技領域と
を備え、
前記遊技盤が、板状をなすベース部材、及びそのベース部材の前面に取り付けられて絵柄が印刷されてなるシート材を含んで構成されている遊技機であって、
前記ベース部材に形成され、遊技機の前後方向に開口する開口部と、
前記開口部を介して前記シート材の背面に光を照射する発光手段と、
前記シート材の背面側に設けられているとともに、透明又は半透明な材料で形成され、同シート材における前記発光手段の光の照射範囲を規制する光規制部材と
を備え、
前記光規制部材は、前記開口部を塞ぐ壁部を有し、
前記壁部は、光を通す光透過部及び光を通さない非光透過部を有するとともに、その前面が前記シート材の背面と遊技機の前後方向において同一位置に設定され、
前記シート材における前記光透過部の前方に位置する部位の少なくとも一部は、光透過性を有し、
前記発光手段から発せられた光が、前記シート材を介して遊技機前方に射出されることを特徴とする遊技機。
【請求項４】
前記光規制部材によって規制された光のシート材への照射範囲と、前記シート材における前記開口部の前方に配置された所定の絵柄の描画範囲とが遊技機の正面視において重なっており、前記シート材は、少なくとも前記描画範囲において光透過性を有していることを特徴とする請求項１乃至請求項３のいずれか１つに記載の遊技機。
【請求項５】
前記光規制部材は、同光規制部材の筒状部分を塞ぐとともに前記シート材と対向する壁部を備え、その壁部が光を通す光透過部と光を通さない非光透過部とを有することを特徴とする請求項１乃至請求項４のいずれか１つに記載の遊技機。
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
遊技領域に遊技球を打込んで行われる遊技により所定の払出条件が成立すると遊技球を払出す遊技機であって、  前記遊技領域に設けられ、遊技球が入球可能な抽選入球口と、  該抽選入球口への遊技球の入球に基づき抽選を行なう抽選手段と、  該抽選手段の抽選結果が当選になると、遊技者にとって通常よりも多くの遊技球が獲得可能な特別状態を発生させる特別状態発生手段と、  コンピュータを用いて構成され、前記抽選入球口への遊技球の入球の有無を監視して、抽選入球口に遊技球が入球したタイミングに基づく処理によって抽選を行なうべく前記抽選手段を制御すると共に、該抽選手段の抽選結果に応じて前記特別状態発生手段を制御する主基板と、  該主基板によって制御され、前記抽選手段によって抽選が行なわれる毎に図柄の表示によって抽選結果を表示する特別図柄表示装置と、  コンピュータを用いて構成され、前記主基板からの信号に基づく処理を行なう周辺基板と、  該周辺基板によって制御され、前記抽選手段によって抽選が行なわれる毎に図柄の表示によって抽選結果を表示する特図対応演出表示装置と、を備え、  前記特別図柄対応演出装置は、  前記抽選手段によって抽選が行なわれる毎に抽選演出を行う演出動作部と、  複数の表示部から構成されており前記抽選手段によって抽選が行なわれる毎に抽選結果を示唆する第一表示部と、  該第一表示部とは異なる第二表示部と、を有し、  前記周辺基板は、  前記抽選手段によって抽選が行なわれる毎に前記特別図柄対応演出装置に対して出力制御を行い、前記演出動作部を動作させて抽選演出を行なう動作演出手段と、  前記演出動作部が抽選演出の動作を開始した後に前記第一表示部もしくは前記第二表示部の変動を開始して表示内容を更新し、更新した表示内容によって前記抽選結果を表示する抽選結果表示手段と、を有し、  前記抽選結果表示手段は、  前記抽選手段によって抽選が行われる毎に、前記演出動作部が抽選演出の動作を開始した後に、第一表示部の表示変動を開始して表示内容を更新し、抽選結果が落選であることを示す一次落選情報、または、前記複数の表示部のうち少なくとも一つの表示部が当選結果を表示した一次通過情報、のいずれかを前記第一表示部に対して出力制御を行なうと共に、前記第一表示部にて前記一次落選情報の表示が行なわれると第二表示部の表示内容の更新を行わない一方で、前記一次通過情報の表示が行なわれると第二表示部表示内容を更新して抽選結果が落選であることを示す最終落選情報、または、抽選結果が当選であることを示す最終当選情報、のいずれかを前記第二表示部に対して出力制御を行い、
所定の条件を満たした場合、第一表示部が一次通過情報を表示したのにも拘わらず、第二表示部の演出への移行を停止して第一表示部の当選情報の表示部分のみを表示したまま再度第一表示部による抽選演出を表示したのち、第二表示部における表示情報を更新する積上げ当選演出を行う積上げ当選演出制御手段を含むことを特徴とする遊技機。
【請求項２】
前記積上げ当選演出制御手段は、前記積上げ当選演出を繰り返し実行する回数を１回乃至所定の複数回のうちいずれかの回数に決定する演出回数決定手段と、該演出回数決定手段によって決定された回数まで前記積上げ当選演出を繰り返し実行する演出実行制御手段と、を含み、
前記演出回数決定手段によって決定される前記積上げ当選演出の繰り返し回数が多いほど前記抽選手段による抽選結果が当選となる割合が高く設定されていることを特徴とする請求項１記載の遊技機。
【請求項３】
前記積上げ当選演出制御手段は、前記積上げ当選演出の繰り返し上限回数を遊技者に認識させる表示を行う上限回数表示制御手段を含むことを特徴とする請求項２記載の遊技機。
【手続補正２】
【補正対象書類名】明細書
【補正対象項目名】０００５
【補正方法】変更
【補正の内容】
【０００５】
（解決手段２）
解決手段１において、前記積上げ当選演出制御手段は、前記積上げ当選演出を繰り返し実行する回数を１回乃至所定の複数回のうちいずれかの回数に決定する演出回数決定手段と、該演出回数決定手段によって決定された回数まで前記積上げ当選演出を繰り返し実行する演出実行制御手段と、を含むことを特徴とする請求項１記載の遊技機。
この場合、積上げ当選演出を１回乃至所定の複数回まで繰り返し行わせる構成とすることで、積上げ当選演出の演出内容を多様化することができる。
【手続補正３】
【補正対象書類名】明細書
【補正対象項目名】０００６
【補正方法】変更
【補正の内容】
【０００６】
（解決手段３）
解決手段２において、前記演出回数決定手段によって決定される前記積上げ当選演出の繰り返し回数が多いほど前記抽選手段による抽選結果が当選となる割合が高く設定されていることを特徴とする請求項１記載の遊技機。
この場合、積上げ当選演出が繰り返されるほど、抽選結果が当選となる遊技者の期待感を高めることができるので、より一層、遊技の興趣低下を抑制することができる。
【手続補正４】
【補正対象書類名】明細書
【補正対象項目名】０００７
【補正方法】変更
【補正の内容】
【０００７】
（解決手段４）
解決手段２又は解決手段３において、前記積上げ当選演出制御手段は、前記積上げ当選演出の繰り返し上限回数（例えば、３回）を遊技者に認識させる表示を行う上限回数表示制御手段（例えば、積上げ当選演出を実行する第１表示器４４の判定表示部を終始、３つの判定表示部４４ａ〜４４ｃとして表示する）を含むことを特徴とする請求項２記載の遊技機。
この場合、積上げ当選演出の繰り返し上限回数を遊技者に認識させることで、最大で何回まで積上げ当選演出が繰り返されるかを事前に遊技者に分からせることができる。このため、実行中の積上げ当選演出が上限回数まで繰り返されたのかそれ以前で終了したのかが分かり、積上げ当選演出に対する遊技者の関心度合を高めることができる。
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
遊技機前方から視認可能な位置に設けられている遊技盤と、
前記遊技盤の前面側に設けられ、遊技球が流れ落ちる遊技領域と、
前記遊技領域に設けられ、前記遊技球の流下方向を変化させる複数の釘と
を備え、
前記遊技盤が、板状をなすベース部材、及びそのベース部材の前面に取付けられて絵柄が印刷されてなるシート材を含んで構成されている遊技機であって、
前記ベース部材には、遊技機の前後方向に開口する開口部が形成されており、
前記シート材における前記開口部の前方に位置する部位の少なくとも一部は、光透過性を有し、
３以上の前記釘が列状をなし、その配列方向と同じ方向に前記遊技球を誘導する誘導釘列と、
前記ベース部材に形成され、前記誘導釘列に沿った長手方向に延びるとともに、遊技機の前後方向に開口する開口部と、
前記シート材の後方に配置され、前記開口部を介して前記シート材の背面に光を照射する発光手段と、
前記発光手段からの光が前記シート材へ照射される照射範囲を、前記開口部の長手方向に延びる所定の範囲、又は前記開口部の長手方向に複数設定された所定の範囲に規制する光規制手段と
を備えていることを特徴とする遊技機。
【請求項２】
前記誘導釘列を複数有し、それらのうち第１誘導釘列と第２誘導釘列とが遊技球の直径寸法よりも長い距離を隔てて並設されており、
前記開口部は、遊技機正面視において前記両誘導釘列の間に配置されているとともに、前記両誘導釘列は、いずれか一方を下側、他方を上側として配置され、
前記遊技領域に設けられ、前記第１誘導釘列に誘導される遊技球が入賞可能な第１入球口と、
前記遊技領域に設けられ、前記第２誘導釘列に誘導される遊技球が入賞可能な第２入球口と、
前記第１入球口への入球易さを変更すべく閉状態と開状態とで切り換え可能な電動役物と、
前記第１入球口よりも上方に設けられ、前記遊技領域を流下する遊技球のうち少なくともその一部の遊技球が通過するとともに、前記第１入球口に続く前記釘列に遊技球を案内する球通過部と、
前記遊技盤に設けられ、絵柄を変動表示する絵柄表示装置と、
前記第１入球口又は前記第２入球口への入球を契機として当たりか外れかの抽選を行い、その抽選結果に応じた前記絵柄の変動表示を指令する一方、同抽選結果が当たりの場合に当たり遊技状態に移行させる第１の遊技制御手段と、
前記遊技球の前記球通過部の通過を契機として前記電動役物の状態切換の抽選を行うとともに、前記抽選の結果に応じて前記電動役物を開状態に切り換える第２の遊技制御手段と
を備えていることを特徴とする請求項１に記載の遊技機。
【請求項３】
少なくとも前記両誘導釘列を構成する釘が、遊技機前方に向けて上り傾斜している遊技機であって、
前記開口部が、前記第１誘導釘列と前記第２誘導釘列との間における当該第２誘導釘列寄りに配置されていることを特徴とする請求項２に記載の遊技機。
【請求項４】
前記シート材における少なくとも前記開口部の前方に位置する部位には光透過性を有する部分を備えるとともに、前記光規制手段は、その前面側に前記シート材の背面に対向する壁部を有し、
１つの前記開口部につき、前記壁部が光透過部を複数有し、
前記光規制手段は、前記壁部が前記シート材に接する状態で配置されていることを特徴とする請求項１乃至請求項３のいずれか１つに記載の遊技機。
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
遊技機前方から視認可能な位置に設けられている遊技盤と、
前記遊技盤の前面側に設けられ、遊技球が流れ落ちる遊技領域と
を備え、
前記遊技盤が、板状をなすベース部材、及びそのベース部材の前面に取り付けられて絵柄が印刷されてなるシート材を含んで構成されている遊技機であって、
前記ベース部材に形成され、遊技機の前後方向に開口する開口部と、
前記開口部を介して前記シート材の背面に光を照射する発光手段と、
前記シート材の背面側に設けられ、光透過性を有する光透過部材と
を備え、
前記シート材における前記開口部の前方に位置する部位の少なくとも一部は光透過性を有するとともに、前記光透過部材は前記シート材の背面に対向する壁部を有し、
前記光透過部材は、前記壁部が前記シート材に接する状態で配置されていることを特徴とする遊技機。
【請求項２】
遊技機前方から視認可能な位置に設けられている遊技盤と、
前記遊技盤の前面側に設けられ、遊技球が流れ落ちる遊技領域と
を備え、
前記遊技盤が、板状をなすベース部材、及びそのベース部材の前面に取り付けられて絵柄が印刷されてなるシート材を含んで構成されている遊技機であって、
前記ベース部材に形成され、遊技機の前後方向に開口する開口部と、
前記開口部を介して前記シート材の背面に光を照射する発光手段と、
前記シート材の背面側に設けられ、光透過性を有する光透過部材と
を備え、
前記シート材における前記開口部の前方に位置する部位の少なくとも一部は光透過性を有するとともに、前記光透過部材は前記遊技盤の背面への接触部と前記シート材の背面に対向する壁部とを有し、
前記遊技盤における前記接触部との接触部位から前記シート材の背面までの、前記遊技盤の前面と直交する方向における距離寸法と、前記壁部の前端部から前記接触部までの、前記遊技盤の前面と直交する方向における距離寸法とをほぼ同一としていることを特徴とする遊技機。
【請求項３】
前記壁部が、前記開口部における前記シート材側の周縁部によって区画形成された全領域又は当該全領域のうち周縁部周辺の少なくとも一部を除く領域に対して、前記シート材と直交する方向において重なる構成としたことを特徴とする請求項１又は請求項２に記載の遊技機。
【請求項４】
前記壁部は前記シート材の背面と平行となるように形成されており、当該壁部によって前記開口部が塞がれていることを特徴とする請求項１乃至請求項３のいずれか１つに記載の遊技機。